(57)【要約】【課題】処理の実行が停止してしまった場合でも、必要な復旧処理を自動的に行うことができる記録装置の提供。【解決手段】デジタルカメラやメディアの画像データをＣＤ−Ｒ等の記録媒体に書き込む記録装置の記憶手段に、画像データの記録処理を行うための記録制御プログラム２０と、記録制御プログラムの少なくとも一部の実行停止により処理が停止していることを監視するための監視プログラム２１に加えて、停止時再起動プログラム２２、記録媒体排出信号送信プログラム、料金払戻信号送信プログラム、証明証発行要求信号送信プログラム、払戻発生情報表示プログラム等が記録され、記録制御プログラムの少なくとも一部の実行停止により処理が停止した場合であっても、再起動や記録媒体の排出、支払った料金の払い戻し等の必要な処理が自動的に行われるため、顧客は安心して記録装置を利用することができる。【選択図】図３
2004208127.tif 000002
【特許請求の範囲】
【請求項１】
顧客によって入力された画像データを、リムーバブルなコンピュータ読取可能な記録媒体に記録する記録装置において、
コンピュータと、
該コンピュータを前記記録のために必要な複数の処理を実行させるための制御手段として機能させる記録制御プログラムと、
該コンピュータを前記複数の処理の実行のうちいずれかの処理が、前記記録制御プログラムの少なくとも一部の実行停止により停止していることを監視する監視手段として機能させる監視プログラムと、
該コンピータを、前記監視手段により前記停止が確認されると、前記記録制御プログラムの少なくとも一部を自動的に再起動させる再起動手段として機能させる停止時再起動プログラムと、
が記憶された記憶手段と、
を有することを特徴とする記録装置。
【請求項２】
顧客によって入力された画像データを、リムーバブルなコンピュータ読取可能な記録媒体に記録する記録装置において、
前記リムーバブルなコンピュータ読取可能な記録媒体を装填する記録媒体装填部と、
コンピュータと、
該コンピュータを前記記録のために必要な複数の処理を実行させるための制御手段として機能させる記録制御プロブラムと、
該コンピュータ前記複数の処理の実行のうちいずれかの処理が、前記記録制御プログラムの少なくとも一部の実行停止により停止していることを監視する監視手段として機能させる監視プログラムと、
該コンピュータを、前記監視手段により前記停止が確認されると、前記記録媒体装填部に対して装填されたコンピュータ読取可能な記録媒体を排出する信号を送信する記録媒体排出信号送信手段として機能させる記録媒体排出信号送信プログラムと、
が記憶された記憶手段と、
を有することを特徴とする記録装置。
【請求項３】
前記記録媒体装填部は、前記記録媒体排出信号を受信すると、前記コンピュータ読取可能な記録媒体を顧客が取り出し可能なように前記記録装置の外部に排出することを特徴とする請求項２記載の記録装置。
【請求項４】
前記記録媒体装填部は、前記記録媒体排出信号を受信すると、前記コンピュータ読取可能な記録媒体を排出部に排出することを特徴とする請求項２記載の記録装置。
【請求項５】
顧客によって入力された画像データを、リムーバブルなコンピュータ読取可能な記録媒体に記録する記録装置において、
該記録にかかる料金を受領する料金受領手段と、
該受領した料金を払い戻す料金払戻手段と、
コンピュータと、
該コンピュータを前記記録のために必要な複数の処理を実行させるための制御手段として機能させる記録制御プログラムと、
該コンピュータを前記複数の処理の実行うちいずれかの処理が、前記記録制御プログラムの少なくとも一部の実行停止により停止していることを監視する監視手段として機能させる監視プログラムと、
該コンピュータを、前記監視手段により前記停止が確認されると、前記料金受領手段で受領されている料金を払い戻させる信号を前記料金払戻手段に送信する料金払戻信号送信手段として機能させる料金払戻信号送信プログラムと、
が記憶された記憶手段と、
を有することを特徴とする記録装置。
【請求項６】
前記料金払戻信号送信プログラムは、コンピュータを、前記料金受領手段で受領されている料金を払い戻させる信号に加え、料金情報を前記料金払戻手段に送信する料金払戻信号送信手段として機能させることを特徴とする請求項５記載の記録装置。
【請求項７】
顧客によって入力された画像データを、リムーバブルなコンピュータ読取可能な記録媒体に記録する記録装置において、
料金の払戻しが可能であることを示す証明証を発行する払戻証発行手段と、
コンピュータと、
該コンピュータを前記記録のために必要な複数の処理を実行させるための制御手段として機能させる記録制御プログラムと、
該コンピュータを前記複数の処理の実行のうちいずれかの処理が、前記記録制御プログラムの少なくとも一部の実行停止により停止していることを監視する監視手段として機能させる監視プログラムと、
該コンピュータを、前記監視手段により前記停止が確認されると、前記証明証の発行を要求する信号を前記払戻証発行手段に送信する証明証発行要求信号送信手段として機能させる証明証発行要求信号送信プログラムと、
が記録された記録手段と、
を有することを特徴とする記録装置。
【請求項８】
前記証明証発行要求信号送信プログラムは、コンピュータを、前記証明証の発行を要求する信号に加え、料金情報を前記払戻証発行手段に送信する証明証発行要求信号送信手段として機能させることを特徴とする請求項７記載の記録装置。
【請求項９】
顧客によって入力された画像データを、リムーバブルなコンピュータ読取可能な記録媒体に記録する記録装置において、
コンピュータと、
該コンピュータを前記記録のために必要な複数の処理を実行させるための制御手段として機能させる記録制御プログラムと、
該コンピュータを前記複数の処理の実行のうちいずれかの処理が、前記記録制御プログラムの少なくとも一部の実行停止により停止していることを監視する監視手段として機能させる監視プログラムと、
該コンピュータを、前記監視手段により前記停止が確認されると、表示手段に料金の払い戻しが必要になったことを示す情報を表示させる手段として機能させる払戻発生情報表示プログラムと、
が記憶された記憶手段と、
を有することを特徴とする記録装置。
【請求項１０】
顧客によって入力された画像データを、リムーバブルなコンピュータ読取可能な記録媒体に記録する記録装置において、
再起動信号入力手段と、
コンピュータと、
該コンピュータを前記記録のために必要な複数の処理を実行させるための制御手段として機能させる記録制御プログラムと、
該コンピュータを、前記再起動信号入力手段により送信される前記記録制御プログラムの少なくとも一部の再起動を要求する再起動信号の受信手段として機能させ、前記再起動信号を受信すると前記記録制御プログラムの少なくとも一部の再起動をさせる手段として機能させる再起動プログラムと、
が記憶された記憶手段と、
を有し、
前記再起動プログラムは、前記コンピュータを、画像データを一時記憶場所又はリムーバブルなコンピュータ読取可能な記録媒体に転送中又は記録中は、前記記録制御プログラムの少なくとも一部の再起動をさせる手段として機能させないことを特徴とする記録装置。
【発明の詳細な説明】
【０００１】
【発明の属する技術分野】
本発明は、データの記録装置に関し、特に、デジタルカメラやカメラ付携帯電話機等の撮影機器、該機器に装着される各種メディアに記録された画像データをＣＤ−Ｒ等の記録媒体に記録する記録装置に関する。
【０００２】
【従来の技術】
近年、デジタルカメラやカメラ付携帯電話機などの撮影機器の普及に伴い、写真画像をデジタルデータとして利用する顧客が増えている。デジタルカメラやカメラ付携帯電話機では、機器に内蔵された記憶手段や機器に着脱可能な各種メディア等に写真画像を記録しておき、機器の表示手段を用いて写真画像を閲覧することができるが、写真画像のデータサイズは大きく、一方機器に内蔵された記憶手段やメディアの記憶容量はあまり大きくないため、頻繁に写真を撮影する顧客は写真の画像データを別の記憶手段に記憶しておく必要がある。
【０００３】
ここで、パソコン操作に慣れた顧客の場合は、デジタルカメラに装着される各種メディアをパソコンのスロットに挿入して画像データを読み込んだり、デジタルカメラやカメラ付携帯電話機をパソコンに接続して撮影した写真の画像データをパソコンに転送する等の方法により、パソコン内に画像データを蓄積し、パソコンに予めインストールされている画像表示アプリケーションを用いて画像データを表示、閲覧している。
【０００４】
しかしながら、パソコン操作に不慣れな顧客にとってはデジタルカメラやカメラ付携帯電話機、各種メディアから画像データを読み取る操作は簡単ではない。そこで、パソコンを用いずに写真の画像データをバックアップする方法が望まれており、例えば、特開平１４−１８５８９６号公報には、デジタルカメラで撮影した写真の画像データをより簡単にバックアップすることができるデータ処理サービス方法及びそのシステムが開示されている。
【０００５】
上記公報によれば、小型、軽量のデジタルカメラに付属する又は内蔵する記録メディアの容量は小さいため、高画質モードで撮影した画像はたかだか１０枚程度しか撮影できず、また、記録メディアは高価であるために予備の記録メディアを何枚も購入できないという問題に対し、店舗に設置されるサービス端末を用いて、顧客のデジタルカメラのメモリに記憶されている撮影画像データを顧客がアクセスできる記録媒体に保存する方法が示されている。
【０００６】
【特許文献１】
特開平１４−１８５８９６号公報（第３−７頁、第１図）
【０００７】
【発明が解決しようとする課題】
上記公報記載の方法により、比較的撮影枚数の少ない小型、軽量のデジタルカメラを利用しても、サービス端末が設置されている店舗にデジタルカメラを持っていくことにより、高価なメディアを購入することなくデジタルカメラの画像データを保存することができ、撮影データ容量や保存、印刷の手間を考えずに、小型、軽量のデジタルカメラを利用することができる。
【０００８】
しかしながら、上述した公報記載のサービス端末等の記録装置では、画像データの読み込みから記録媒体への書き込みまでの一連の処理が停止することなく行われることを前提にしているが、顧客の操作ミスやデジタルカメラや記録メディア、記録媒体自体の不具合、デジタルカメラや記録メディアと記録装置との通信状態の不具合等、様々な要因で処理が一時的に停止してしまうことがある。例えば、顧客が予め定められた手順に従って操作をしなかった場合や、デジタルカメラ用メディアや記録媒体が破損しているために読み出しや書き込みができない場合や、読み取った画像データを処理（例えば、表示）する際に記録装置側のメモリ容量の不足等の理由によりフリーズしてしまう場合などでは、記録装置は処理を続行することができず一時的に停止してしまう。
【０００９】
このような場合に、従来の記録装置は処理が停止したままの状態となってしまい、顧客は記録装置が設置されている店舗の係員を呼びだして対応してもらわなければならず、顧客及び係員の負担が大きくなる。特に、記録装置を無人端末として動作させる場合には係員が迅速に対応することができず、記録装置が復旧するまで顧客は待機していなければならないため、顧客に多大な時間を浪費させてしまう。また、顧客によっては記録装置が停止してしまった場合にどのように対処してよいのか分からず、余分な操作をしてしまう場合もあり、余分な操作により記録装置が故障してしまう原因となる場合もある。
【００１０】
このように、画像データを記録媒体に記録する記録装置はパソコンや通常の電子機器と同様に処理の実行が停止する場合が起こり得るものであり、特に不特定多数の顧客が使用する機器の場合は操作ミス等によりそのような事態が起こりやすい。そして、記録装置の処理が停止してしまった場合に、記録装置自体に何らかの復旧作業を自動的に行う機能がないと顧客に迷惑をかけてしまい、結局、記録装置の利用が敬遠されてしまう。
【００１１】
本発明は、上記問題点に鑑みてなされたものであって、その主たる目的は、処理の実行が停止してしまった場合でも、必要な復旧処理を自動的に行うことができる記録装置を提供することにある。
【００１２】
【問題を解決するための手段】
上記目的を達成するため、本発明の記録装置は、顧客によって入力された画像データを、リムーバブルなコンピュータ読取可能な記録媒体に記録する記録装置において、コンピュータと、該コンピュータを前記記録のために必要な複数の処理を実行させるための制御手段として機能させる記録制御プログラムと、該コンピュータを前記複数の処理の実行のうちいずれかの処理が、前記記録制御プログラムの少なくとも一部の実行停止により停止していることを監視する監視手段として機能させる監視プログラムと、該コンピータを、前記監視手段により前記停止が確認されると、前記記録制御プログラムの少なくとも一部を自動的に再起動させる再起動手段として機能させる停止時再起動プログラムと、が記憶された記憶手段と、を有するものである。
【００１３】
また、本発明の記録装置は、顧客によって入力された画像データを、リムーバブルなコンピュータ読取可能な記録媒体に記録する記録装置において、前記リムーバブルなコンピュータ読取可能な記録媒体を装填する記録媒体装填部と、コンピュータと、該コンピュータを前記記録のために必要な複数の処理を実行させるための制御手段として機能させる記録制御プロブラムと、該コンピュータ前記複数の処理の実行のうちいずれかの処理が、前記記録制御プログラムの少なくとも一部の実行停止により停止していることを監視する監視手段として機能させる監視プログラムと、該コンピュータを、前記監視手段により前記停止が確認されると、前記記録媒体装填部に対して装填されたコンピュータ読取可能な記録媒体を排出する信号を送信する記録媒体排出信号送信手段として機能させる記録媒体排出信号送信プログラムと、が記憶された記憶手段と、を有するものである。
【００１４】
本発明においては、前記記録媒体装填部は、前記記録媒体排出信号を受信すると、前記コンピュータ読取可能な記録媒体を顧客が取り出し可能なように前記記録装置の外部に排出又は排出部に排出する構成とすることができる。
【００１５】
また、本発明の記録装置は、顧客によって入力された画像データを、リムーバブルなコンピュータ読取可能な記録媒体に記録する記録装置において、該記録にかかる料金を受領する料金受領手段と、該受領した料金を払い戻す料金払戻手段と、コンピュータと、該コンピュータを前記記録のために必要な複数の処理を実行させるための制御手段として機能させる記録制御プログラムと、該コンピュータを前記複数の処理の実行うちいずれかの処理が、前記記録制御プログラムの少なくとも一部の実行停止により停止していることを監視する監視手段として機能させる監視プログラムと、該コンピュータを、前記監視手段により前記停止が確認されると、前記料金受領手段で受領されている料金を払い戻させる信号を前記料金払戻手段に送信する料金払戻信号送信手段として機能させる料金払戻信号送信プログラムと、が記憶された記憶手段と、を有するものであり、前記料金払戻信号送信プログラムは、コンピュータを、前記料金受領手段で受領されている料金を払い戻させる信号に加え、料金情報を前記料金払戻手段に送信する料金払戻信号送信手段として機能させる構成とすることもできる。
【００１６】
また、本発明の記録装置は、顧客によって入力された画像データを、リムーバブルなコンピュータ読取可能な記録媒体に記録する記録装置において、料金の払戻しが可能であることを示す証明証を発行する払戻証発行手段と、コンピュータと、該コンピュータを前記記録のために必要な複数の処理を実行させるための制御手段として機能させる記録制御プログラムと、該コンピュータを前記複数の処理の実行のうちいずれかの処理が、前記記録制御プログラムの少なくとも一部の実行停止により停止していることを監視する監視手段として機能させる監視プログラムと、該コンピュータを、前記監視手段により前記停止が確認されると、前記証明証の発行を要求する信号を前記払戻証発行手段に送信する証明証発行要求信号送信手段として機能させる証明証発行要求信号送信プログラムと、が記録された記録手段と、を有するものであり、前記証明証発行要求信号送信プログラムは、コンピュータを、前記証明証の発行を要求する信号に加え、料金情報を前記払戻証発行手段に送信する証明証発行要求信号送信手段として機能させる構成とすることができる。
【００１７】
また、本発明の記録装置は、顧客によって入力された画像データを、リムーバブルなコンピュータ読取可能な記録媒体に記録する記録装置において、コンピュータと、該コンピュータを前記記録のために必要な複数の処理を実行させるための制御手段として機能させる記録制御プログラムと、該コンピュータを前記複数の処理の実行のうちいずれかの処理が、前記記録制御プログラムの少なくとも一部の実行停止により停止していることを監視する監視手段として機能させる監視プログラムと、該コンピュータを、前記監視手段により前記停止が確認されると、表示手段に料金の払い戻しが必要になったことを示す情報を表示させる手段として機能させる払戻発生情報表示プログラムと、が記憶された記憶手段と、を有するものである。
【００１８】
また、本発明の記録装置は、顧客によって入力された画像データを、リムーバブルなコンピュータ読取可能な記録媒体に記録する記録装置において、再起動信号入力手段と、コンピュータと、該コンピュータを前記記録のために必要な複数の処理を実行させるための制御手段として機能させる記録制御プログラムと、該コンピュータを、前記再起動信号入力手段により送信される前記記録制御プログラムの少なくとも一部の再起動を要求する再起動信号の受信手段として機能させ、前記再起動信号を受信すると前記記録制御プログラムの少なくとも一部の再起動をさせる手段として機能させる再起動プログラムと、が記憶された記憶手段と、を有し、前記再起動プログラムは、前記コンピュータを、画像データを一時記憶場所又はリムーバブルなコンピュータ読取可能な記録媒体に転送中又は記録中は、前記記録制御プログラムの少なくとも一部の再起動をさせる手段として機能させないことを特徴とするものである。
【００１９】
このように、本発明の記録装置によれば、記録装置に記憶された記録制御プログラムを用いて画像データの記録等の様々な処理を行う際に、記録制御プログラムの少なくとも一部の実行停止により何れかの処理が停止した場合においても、監視プログラムにより処理の停止が確認されると、記録制御プログラムを再起動したり、画像データを書き込む記録媒体を排出したり、支払った料金の払い戻しを行ったり、払戻のための証明証が発行されるため、顧客は安心して記録装置を利用することができる。
【００２０】
【発明の実施の形態】
本発明に係る記録装置は、その好ましい一実施の形態において、デジタルカメラ、カメラ付き携帯電話機等の撮影機器、デジタルカメラ用メディアから読み取った画像データをＣＤ−Ｒ等の記録媒体に書き込む記録装置に関し、記録装置の記憶手段には、画像データの記録に関する処理を行うための記録制御プログラムと、記録制御プログラムの少なくとも一部の実行停止により処理が停止していることを監視するための監視プログラムに加えて、記録制御プログラムの少なくとも一部を自動的に再起動させるための停止時再起動プログラム、画像データを記録する記録媒体を排出するための記録媒体排出信号送信プログラム、料金受領手段で受領されている料金を払い戻すための料金払戻信号送信プログラム、払戻証発行手段に証明証の発行させるための証明証発行要求信号送信プログラム、表示手段に料金の払い戻しが必要になったことを知らせるための払戻発生情報表示プログラム等が記録されているため、記録制御プログラムの少なくとも一部の実行停止により記録処理が停止した場合であっても、再起動や記録媒体の排出、支払った料金の払い戻し等の必要な処理が自動的に行われるため、処理が停止した場合に係員を呼んで復旧してもらう手間を省くことができ、使い勝手のよい記録装置を提供することができる。
【００２１】
【実施例】
上記した本発明の実施の形態についてさらに詳細に説明すべく、本発明の実施例について図面を参照して説明する。
【００２２】
［実施例１］
まず、本発明の第１の実施例に係る記録装置について、図１乃至図４を参照して説明する。図１は、第１の実施例に係る記録装置の外観構成を示す図、図２は、記録装置の構成を示すブロック図、図３は、記録装置の機能を示すブロック図である。また、図４は、画像データの記録手順を示すフローチャート図である。
【００２３】
図１及び図２（ａ）に示すように、本実施例の記録装置１は、スマートメディア、コンパクトフラッシュ（登録商標）、メモリースティック（登録商標）、ＳＤメモリーカード、マルチメディアカードなどの写真の画像データが記録された記録媒体（以下、画像データを書き込む記録媒体と区別するために便宜的にメディア１３と呼ぶ。）を挿入するメディアスロット２や、写真を撮影したデジタルカメラ１４やカメラ付き携帯電話機１５等の撮影機器（以下、カメラ機能を備えたデジタル機器を撮影機器と呼ぶ。）を接続する接続端子１１等の読み取り手段と、これらのメディア１３や撮影機器から読み取った画像データをＣＤ−Ｒ等の記録媒体１６に書き込むＣＤ−Ｒドライブ８等の書き込み手段と、画像データの記録に際して必要な情報の表示や入力を行う表示部９及び操作部１０と、読み取り動作や書き込み動作を制御するＣＰＵ等の演算処理部３と、読み取った画像データや後述する各種プログラム等を記憶するメモリ（記憶部４ａ）及びＨＤＤ（記憶部４ｂ）と、必要に応じて、撮影機器や他の装置、端末とＬＡＮ接続（有線、無線を問わない）するためのネットワーク接続部１２とを備え、これらが直接又はＵＳＢポート６等を介してマザーボード７に接続されている。
【００２４】
なお、図１では、メディアスロット２は各種メディア１３が装着可能なオールインワンのスロットを一つ設ける構成としているが、各々のメディア１３に対応するスロットを別々に設ける構成としてもよく、オールインワンのスロットを複数設ける構成としてもよい。また、以下では記録媒体１６としてＣＤ−Ｒを用いるが、記録媒体１６はＣＤ−Ｒに限らず、データサイズの大きい画像データを記録することができる汎用的な媒体、例えば、ＤＶＤ−ＲやＭＯ等を用いてもよい。また、表示部９は、図１では記録装置１本体と一体化した構成としているが、着脱可能に構成されていてもよく、表示部９を利用せずに外部に設けた表示手段（レジや端末のディスプレイ等）に情報を表示する構成としてもよい。
【００２５】
この記録装置１を機能で示すと図３に示すようになり、記憶部４には、コンピュータを記録のために必要な複数の処理を実行させるための制御手段として機能させるための記録制御プログラム２０と、コンピュータを複数の処理の実行のうちいずれかの処理が記録制御プログラム２０の少なくとも一部の実行停止により停止していることを監視する監視手段として機能させる監視プログラム２１と、コンピータを、監視手段により停止が確認されると、記録制御プログラム２０の少なくとも一部を自動的に再起動させる再起動手段として機能させる停止時再起動プログラム２２とが記憶されている。
【００２６】
上記構成の記録装置１を用いて、記録媒体１６に画像データを記録する一般的な手順について、図４のフローチャート図を参照して説明する。なお、以下では顧客がメディア１３を持ち込んだ場合について説明するが、デジタルカメラ１４やカメラ付き携帯電話機１５等の撮影機器を持ち込んだ場合も同様に適用することができ、接続端子１１にこれらの撮影機器を接続すると、記録装置１の機能により撮影機器を認識することができ、撮影機器内部の記憶手段に記憶された画像データを読み出すことができる。また、以下の手順は１枚のメディア１３の画像データを１枚のＣＤ−Ｒに記録する方法であるが、複数のメディア１３から１枚のＣＤ−Ｒに記録したり、１枚のメディア１３から複数のＣＤ−Ｒに記録したり、これらを組み合わせたものであってもよく、その場合にはメディア１３やＣＤ−Ｒの枚数を入力する等のステップを追加すればよい。
【００２７】
ステップＳ１０１で、ＣＰＵはＨＤＤから記録制御プログラム２０及び監視プログラム２１を読み出し、メモリにロードして実行する。この記録制御プログラム２０によりステップＳ１０２からＳ１１３に示す各処理が実行されると共に、監視プログラム２１は記録制御プログラム２０により実行される各処理の進行状況を監視し、処理が停止した場合に停止を検出する。このように監視プログラム２１の監視下で記録制御プログラム２０が実行されるが、以下では説明を容易にするために、記録制御プログラム２０による画像データの記録処理が停止することなく実行された場合について説明した後、記録制御プログラム２０の少なくとも一部の実行停止により記録処理が停止した場合について説明する。
【００２８】
まず、ステップＳ１０２で、ＣＰＵはメディアスロット２にメディア１３がセットされたかを検知する。検知方法としては、メディア１３がメディアスロット２に挿入され、メディアスロット２内の読み取り手段がメディア１３にアクセス可能な状態になると該読み取り手段からメディア１３のセット信号が送出されるため、ＣＰＵはこの信号を受信してメディアスロット２にメディア１３があることを検知することができる。
【００２９】
次に、ステップＳ１０３で、ＣＰＵはメディア１３に画像データが記録されているかを調べ、記録されている場合は、ステップＳ１０５で、表示部９に画像を表示するか否かを選択する画面を表示する。また、メディア１３内に画像データが記録されていない場合には、ステップＳ１０４で表示部９に例えば「画像がありません」等のメッセージを表示し、ステップＳ１０２に戻ってメディア１３の検知を行う。なお、画像データがない場合のメッセージ表示や画像データを表示するか否かの選択ステップは省略してもよい。
【００３０】
次に、ステップＳ１０５で画像を表示する場合には、ＣＰＵはメディア１３から読み取った画像データを表示部９に送り、ステップＳ１０６で表示部９は一覧形式で画像を表示する。そして、ステップＳ１０７で、顧客が操作部１０を用いて画像を選択すると、ステップＳ１０８で、選択した画像データがＣＰＵから記憶部４に記憶される。また、ステップＳ１０５で画像を表示しない場合は、ステップＳ１０８でメディア１３に記録された全ての画像データが記憶部４に記憶される。なお、ステップＳ１０２でメディア１３を検知したら、ステップＳ１０８にスキップしてメディア１３内に記録されている全ての画像データを記憶部４に記憶する構成としてもよい。
【００３１】
次に、ステップＳ１０９で、表示部９上にＣＤ−ＲをＣＤ−Ｒドライブ８にセットすることを求めるＣＤ−Ｒセット要求画面を表示し、顧客は画面の指示に従ってＣＤ−Ｒドライブ８にＣＤ−Ｒをセットする。なお、本実施例の記録装置１には画像データの記録に対する料金を徴収する手段を設けていないため、ＣＤ−Ｒドライブ８にセットするＣＤ−Ｒは記録装置１を設置する店舗で購入されたものであることが好ましく、正規に購入したＣＤ−Ｒに認証キー等を書き込んでおき、正規に購入していないＣＤ−Ｒ（例えば、顧客が持ち込んだＣＤ−Ｒ等）と識別できるようにすることもできる。また、ＣＤ−Ｒドライブ８の開閉は、通常、ＣＤ−Ｒドライブ８自体を押し込んだり側部に設けたボタン等を押すことによって行われるが、操作ミスや無理な操作を防止するために表示部９上にＣＤ−Ｒドライブ８の開閉を指示する画面を表示し、タッチパネル等を用いて画面上でＣＤ−Ｒドライブ８の開閉を操作できるようにしてもよい。
【００３２】
そして、ＣＤ−Ｒが書き込み可能な状態になると、ＣＤ−Ｒドライブ８からＣＰＵにＣＤ−Ｒのセット信号が送られ、ステップＳ１１０で、ＣＰＵは記憶部４に記憶された画像データをＣＤ−Ｒドライブ８に送り、ＣＤ−Ｒへの書き込みを行う。なお、予めＣＤ−Ｒドライブ８にＣＤ−Ｒがセットされている場合（例えば、ステップＳ１０２でメディア１３を挿入するときにＣＤ−Ｒの挿入も行った場合等）は、ＣＤ−Ｒセット要求画面の表示を省略し、ＣＰＵは直ちにステップＳ１１０の書き込みを開始してもよい。そして、書き込みが完了するとＣＤ−Ｒドライブ８はＣＰＵに書き込み終了信号を送る。
【００３３】
次に、ステップＳ１１１で、ＣＰＵは表示部９にメディア１３の画像データを消去するかの選択画面を表示し、消去する場合には、ステップＳ１１２で該画像データを消去する。なお、この画像データ消去ステップは省略してもよい。その後、ステップＳ１１３で、ＣＰＵはＣＤ−Ｒドライブ８に画像データを記録したＣＤ−Ｒを排出する信号を送信し、ＣＤ−Ｒドライブ８はこの信号を受信してＣＤ−Ｒドライブ８のＣＤ−Ｒ装填部を押し出し、顧客がＣＤ−Ｒを取り出して一連の記録処理が終了する。なお、ステップＳ１０２からＳ１１３までの処理は一般的な記録処理を例示したものであり、その順序や各ステップの処理は上記説明に限定されるものではない。
【００３４】
以上が記録制御プログラム２０により記録処理が順調に行われた場合のフローであるが、前記したように記録装置１では処理が停止してしまう場合があるため、監視プログラム２１は、ステップＳ１０２〜Ｓ１１３までの処理が停止することなく実行されているかを監視する。ここで、処理の停止とは、記録制御プログラム２０の少なくとも一部の実行停止によって記録処理が停止する場合を意味し、顧客の入力待ち（例えば、”Ｙ”又は”Ｎ”の入力や画像の選択等）やメディア１３又はＣＤ−Ｒの挿入待ちのように記録制御プログラム２０は正常に動作しているが見かけ上動作が止まっているような場合は含まない。また、記録制御プログラム２０の少なくとも一部の実行停止とは、例えば、顧客が予め定められた手順に従って操作しないためにプログラムがフリーズした場合や、ステップＳ１０３でＣＰＵがメディア１３にアクセスする際に、メディア１３が破損しているために画像データの読み込みができない場合や、デジタルカメラ１４から画像データを読み取る場合に通信が確立できず画像データの読み込みができない場合や、ステップＳ１０６で画像を表示する場合にメモリの容量不足等の理由によりプログラムがフリーズした場合や、ステップＳ１１０でＣＤ−Ｒに画像データを書き込む際にＣＤ−Ｒの破損等により書き込みができない場合等が考えられる。
【００３５】
そして、ステップＳ１１４で、監視プログラム２１が記録制御プログラム２０の少なくとも一部の実行停止による記録処理の停止を検出すると、ステップＳ１１５で、ＣＰＵはＨＤＤから停止時再起動プログラム２２を読み出しメモリにロードする。なお、停止時再起動プログラム２２は、ステップＳ１０１で、記録制御プログラム２０や監視プログラム２１を読み出す際に同時にＨＤＤから読み出しておいてもよい。
【００３６】
その後、ステップＳ１１６で、ＣＰＵは停止時再起動プログラム２２を実行し、記録制御プログラム２０を再起動すると、記録制御プログラム２０は、ステップＳ１０２から処理を再開する。この記録制御プログラム２０の再起動に際して、記録制御プログラム２０の実行停止の原因を究明し、その原因を解決してから再起動を実行する構成とすることもできる。その場合には、プログラムの処理経過を示すログを解析して実行停止までの操作状況等の履歴情報を表示部９に表示し、その原因を解消するように顧客に求める（例えば、操作手順が間違っている場合は正しい手順を表示する等）こともできる。
【００３７】
なお、図４では、ステップＳ１０２からＳ１１３までのいずれかのステップで処理が停止した場合に記録制御プログラム２０全体を再起動して初期段階（ステップＳ１０２）に戻る構成としているが、記録制御プログラム２０が個別に再起動可能な複数のプログラムで構成されている場合には、実行を停止した記録制御プログラム２０の一部のみを再起動してそのステップからやり直すこともできる。例えば、ステップＳ１０６の画像表示段階で記録制御プログラム２０が停止した場合は、記録制御プログラム２０の画像表示に関わる部分のみを再起動して再度画像表示を行う構成とすることができる。
【００３８】
以上の説明は、記録装置１の各手段を動作させるＯＳとしてウィンドウズ（Ｒ）を用いる場合の一般的な構成における動作であるが、この構成ではメディアスロット２でメディア１３から読み取った画像データはメモリ（記憶部４ａ）に取り込まれた後、ＨＤＤ（記憶部４ｂ）で一時保管されるため、ＨＤＤにアクセスする回数が多くなり、多数のメディア１３から多数の画像データを読み込む場合には処理に時間がかかる。そのような場合には、リアルタイム性を重視して設計されたＯＳであるＴＲＯＮ（The Real-time Operating system Nucleus）の一つである組込み用ＴＲＯＮ（ＩＴＲＯＮ）を用いることもできる。
【００３９】
このＩＴＲＯＮはきわめて小さい容量で構成することができるという特徴があり、ウィンドウズ（Ｒ）のように大容量のＨＤＤを必要としない。例えば、ＩＴＲＯＮを用いた場合のシステム構成は図２（ｂ）に示すようになり、記憶部はメモリ（記憶部５ａ）の他に、ＯＳやアプリケーションを記憶するためのＲＯＭ（記憶部５ｂ）とメディア１３内の画像データを一括して記憶できる容量のＲＡＭ（記憶部５ｃ）とで構成され、記憶部５ｂ、５ｃによりＯＳやアプリケーションの動作、画像データの書き込み／読み出し動作の高速化を図ることができる。なお、本発明の記録装置１は、図２（ａ）、（ｂ）のいずれの構成でも動作させることはできるが、より高速動作が求められる場合には図２（ｂ）のＩＴＲＯＮをＯＳとして用いる構成の方が好ましいと言える。
【００４０】
以上説明したように、本実施例の構成によれば、各種メディア１３やデジタルカメラ１４、カメラ付き携帯電話機１５等の撮影機器に記録された画像データをＣＤ−Ｒ等の記録媒体１６に書き込む際に、記録制御プログラム２０の少なくとも一部の実行停止により記録処理が停止した場合に、処理の停止が監視プログラム２１により自動的に検出され、停止時再起動プログラム２２により記録制御プログラム２０が自動的に復旧されるため、顧客は安心して記録装置１を利用することができる。
【００４１】
［実施例２］
次に、本発明の第２の実施例に係る記録装置について、図５及び図６を参照して説明する。図５は、本実施例に係る記録装置の機能を示すブロック図であり、図６は、画像データの記録手順を示すフローチャート図である。なお、本実施例は、記録制御プログラム２０の少なくとも一部が停止した場合に該プログラムを再起動するのではなく、記録処理を終了させることを特徴とするものである。
【００４２】
本実施例の記録装置１を機能で示すと図５に示すようになり、第１の実施例と同様に、演算処理部３に制御される表示部９、操作部１０、メディアスロット２や接続端子１１等の読み取り手段１８、ＣＤ−Ｒドライブ８等の書き込み手段１９、記憶部４を含み、記憶部４には、記録制御プログラム２０及び監視プログラム２１に加えて、コンピータを、監視手段により停止が確認されると、書き込み手段１９に対して装填された記録媒体を排出する信号を送信する記録媒体排出信号送出手段として機能させる記録媒体排出信号送信プログラム２３が記憶されている。
【００４３】
上記構成の記録装置１を用いた画像データの記録手順について、図６のフローチャート図を参照して説明する。まず、第１の実施例と同様に、ステップＳ２０１で、ＣＰＵはＨＤＤから記録制御プログラム２０及び監視プログラム２１を読み出し、メモリにロードし、記録制御プログラム２０を用いてステップＳ２０２からＳ２１３の処理を実行する。
【００４４】
ここで、第１の実施例では一連のステップのいずれかで記録制御プログラム２０の少なくとも一部の実行停止により処理が停止した際に、停止時再起動プログラム２２を稼働し、記録制御プログラム２０の全部又は実行停止した部分の再起動を行ったが、記録制御プログラム２０の実行停止が再起動することによって復旧可能な原因（例えば、操作ミス等）に起因する場合は再起動が有効であるが、再起動によっても復旧できない又は復旧が困難な原因（例えば、ＣＤ−Ｒが破損していて画像データの書き込みができない等）に起因する場合は記録制御プログラム２０を再起動しても再び処理は停止してしまう。
【００４５】
そこで、本実施例ではステップＳ２１４で、監視プログラム２１が記録制御プログラム２０の少なくとも一部の実行停止による処理（図ではステップＳ２０９でＣＤ−Ｒを装填しているためステップＳ２０９からＳ２１２の処理となるが、ステップＳ２０２でメディア１３と共にＣＤ−Ｒを装填した場合はステップＳ２０２からＳ２１２の処理）の停止を検出すると、ステップＳ２１５で、ＣＰＵはＨＤＤから記録媒体排出信号送信プログラム２３を読み出しメモリにロードし実行する。すると、ステップＳ２１６で、ＣＰＵはＣＤ−Ｒドライブ８に対して装填されたＣＤ−Ｒの排出を指示する記録媒体排出信号を送信し、ＣＤ−Ｒドライブ８はこの信号を受信してＣＤ−Ｒを取り出し可能に排出して一連の処理を終了する。なお、ここではＣＤ−Ｒを排出する信号を送信してＣＤ−Ｒドライブ８を駆動しているが、ＣＤ−Ｒドライブ８を駆動するのではなく、取り出し指示の信号を送信し、ボタンを点滅させる等により顧客にＣＤ−Ｒが取り出し可能であることを知らせる構成としてもよい。
【００４６】
このような処理を行うことにより、記録制御プログラム２０の少なくとも一部の実行停止により処理が停止した際、記録制御プログラム２０の再起動によって復旧しない原因に起因する場合であっても、直ちにＣＤ−Ｒを取り出して記録処理を終了することができるため、係員が記録装置１の復旧に来るまで待機する必要がなく、顧客の負担を軽減することができる。
【００４７】
［実施例３］
次に、本発明の第３の実施例に係る記録装置について、図７乃至図１１を参照して説明する。図７は、第３の実施例に係る記録装置の外観を示す図であり、図８及び図１０は、本実施例に係る記録装置の機能を示すブロック図である。また、図９及び図１１は、画像データの記録手順を示すフローチャート図である。なお、本実施例は、記録制御プログラム２０の少なくとも一部の実行停止により処理が停止した場合に予め支払った料金の払い戻しを行うことを特徴とするものである。
【００４８】
図７に示すように、本実施例の記録装置１は、メディアスロット２や接続端子１１等の読み取り手段と、ＣＤ−Ｒドライブ８等の書き込み手段と、表示部９及び操作部１０と、画像データの記録に対する料金を支払うための料金投入口２４と支払った料金を払い戻すための料金返却口２５又は料金の払い戻しを証明する払戻証を発行する払戻証発行手段２７と、必要に応じて、ＣＤ−Ｒを返却するためのＣＤ−Ｒ排出口２６とを備えている。
【００４９】
ここで、図７では記録装置１に料金の支払いや払い戻しを行う精算手段を設けているため、前記した第１及び第２の実施例よりも大型の装置としているが、図１の形態の記録装置１で料金の精算を実現できる場合は大型の装置とする必要はなく、カード決裁等を用いることによって装置の小型化を実現してもよい。
【００５０】
本実施例の記録装置１を機能で示すと図８に示すようになり、第１の実施例と同様に、演算処理部３に制御される表示部９、操作部１０、メディアスロット２や接続端子１１等の読み取り手段１８、ＣＤ−Ｒドライブ８等の書き込み手段１９、記憶部４に加えて、画像データの記録に対する料金を受領する料金受領手段２８と、画像データの記録が正常に行われなかった場合に料金を払い戻す料金払戻手段２９を備え、記憶部４には、記録制御プログラム２０及び監視プログラム２１に加えて、コンピータを、監視手段により停止が確認されると、料金受領手段２８で受領されている料金を払い戻させる信号又は該信号と料金情報とを料金払戻手段２９に送信する料金払戻信号送信手段として機能させる料金払戻信号送信プログラム３０が記憶されている。
【００５１】
上記構成の記録装置１を用いて、記録媒体１６に画像データを記録する手順について、図９のフローチャート図を参照して説明する。
【００５２】
まず、ステップＳ３０１で、顧客は料金投入口２４に画像データの記録に対する料金を投入する。なお、この料金の支払いは、画像データの記録に対する料金が画像データの数量やデータサイズによらず一定であれば初期段階で行うことができるが、画像データの数量やデータサイズによって料金も可変する場合にはＣＤ−Ｒに書き込むべき画像データが確定してから料金の支払いを行う構成してもよい。その後、ステップＳ３０２で、ＣＰＵはＨＤＤから記録制御プログラム２０及び監視プログラム２１を読み出し、メモリにロードし、記録制御プログラム２０を用いてステップＳ３０３からＳ３１５の処理を実行する。
【００５３】
ここで、第２の実施例では一連のステップのいずれかで記録制御プログラム２０の少なくとも一部の実行停止により記録処理が停止した際に、記録媒体排出信号送信プログラム２３を駆動し、ＣＤ−Ｒドライブ８に対してＣＤ−Ｒの排出を指示して画像データの記録処理を終了したが、画像データの記録に対して予め料金を支払っている場合には、記録が完了していないのに処理を終了するのは不都合であり、顧客は係員を呼びだして料金の返却を要請しなければならず、顧客の負担が大きくなる。
【００５４】
そこで、本実施例ではステップＳ３１６で、監視プログラム２１が記録制御プログラム２０の少なくとも一部の実行停止による処理の停止を検出すると、ステップＳ３１７で、ＣＰＵはＨＤＤから料金払戻信号送信プログラム３０を読み出しメモリにロードし実行する。すると、ステップＳ３１８で、ＣＰＵは料金払戻手段２９に対して料金受領手段２８で受け取った料金を払い戻させる信号又は該信号に加えて料金に関する情報を送信し、料金払戻手段２９はこの信号を受信して受け取った料金を料金返却口２５に排出した後、ステップＳ３１９でＣＤ−Ｒドライブ８にＣＤ−Ｒの排出を指示する信号を送信し、ステップＳ３１５でＣＤ−Ｒを取り出し可能に排出して一連の処理を終了する。なお、この方法の場合、顧客には支払った料金の払い戻しが行われるため、必ずしも顧客にＣＤ−Ｒを提供する必要はなく、ステップＳ３１９のＣＤ−Ｒ排出信号の送信や、ステップＳ３１５のＣＤ−Ｒの排出をスキップして記録処理を終了させてもよい。
【００５５】
このような処理を行うことにより、料金の支払い後に記録制御プログラム２０の少なくとも一部の実行停止により記録処理が停止した場合であっても、支払った料金が払い戻されるため、記録が完了していないのに料金が徴収されたままになるという不具合を防止することができる。
【００５６】
上記説明は記録装置１で料金を直接払い戻す場合の構成及び手順であるが、料金受領手段２８や料金払戻手段２９を設けると記録装置１の構成が複雑になり、また払い戻しを行うためにはある程度の金額のお金を記録装置１内に保有していなければならず、保安上の措置も必要になる。そこで、料金を直接払い戻すのではなく、記録装置１が設置される店舗のレジ等で換金するための払戻証を発行する構成とすることもできる。
【００５７】
この場合、記録装置１は機能で示すと図１０に示すようになり、演算処理部３に制御される表示部９、操作部１０、メディアスロット２や接続端子１１等の読み取り手段１８、ＣＤ−Ｒドライブ８等の書き込み手段１９、記憶部４に加えて、料金の払戻を証明する証明証を発行する払戻証発行手段２７を備え、記憶部４には、記録制御プログラム２０及び監視プログラム２１に加えて、コンピータを、監視手段により停止が確認されると、払戻発行手段２７に証明証の発行を要求する信号を送信する証明証発行要求信号送信手段として機能させる証明証発行要求信号送信プログラム３１が記憶されている。なお、ここでは、第１の実施例と同様に、顧客は画像データを書き込むＣＤ−Ｒを店舗で購入することを前提としているため料金受領手段２８を設けていないが、記録装置１で料金の受領のみを行い、払い戻しをレジ等で行う構成とする場合は料金受領手段２８を設けることになる。
【００５８】
このような構成の場合は、図１１のフローチャート図に示すように、ステップＳ４１６で、監視プログラム２１が記録制御プログラム２０の少なくとも一部の実行停止による処理の停止を検出すると、ステップＳ４１７で、ＣＰＵはＨＤＤから証明証発行要求信号送信プログラム３１を読み出しメモリにロードし実行する。すると、ステップＳ４１８で、ＣＰＵは払戻証発行手段２７に対して証明証を発行させる信号又は該信号に加えて料金に関する情報を送信し、払戻証発行手段２７はこの信号を受信して証明証を発行した後、必要に応じてステップＳ４１９でＣＤ−Ｒドライブ８にＣＤ−Ｒの排出を指示する信号を送信し、ステップＳ４１５でＣＤ−Ｒを排出して一連の処理を終了する。
【００５９】
このような構成及び処理によっても、料金の支払い後に記録制御プログラム２０の少なくとも一部の実行停止により処理が停止した場合であっても、支払った料金が払い戻されるため、記録が完了していないのに料金が徴収されたままになるという不具合を防止することができる。
【００６０】
なお、本実施例のように記録装置１を大型の装置にする場合、装置内にＣＤチェンジャーのような自動装填手段を設けて自動的にＣＤ−Ｒを装填し、書き込みが終了したらＣＤ−Ｒ排出口２６から排出することができるが、ＣＤ−Ｒをむき出しの状態で排出するとＣＤ−Ｒに傷が付く恐れがあり好ましくない。その場合には、記録装置１内にＣＤ−Ｒをケースに装填する手段を設け、顧客がケース有り／無しを表示部９及び操作部１０で選択できるようにしておき、顧客がケース有りを選択したらＣＤ−Ｒ排出口２６からはケースに収納された状態でＣＤ−Ｒを排出する構成とすることができる。更に、記録装置１内に印刷手段を設けておき、ＣＤ−Ｒの表面やケースのジャケットに所定の印刷（例えば、記録する画像や顧客を特定する情報等）を印刷することもできる。
【００６１】
［実施例４］
次に、本発明の第４の実施例に係る記録装置について、図１２乃至図１５を参照して説明する。図１２は、第４の実施例に係る記録装置を含む記録システムの外観構成を示す図であり、図１３は、本実施例に係る記録装置の機能を示すブロック図である。また、図１４は、画像データの記録手順を示すフローチャート図であり、図１５は、記録装置の他の構成を示す外観図である。なお、本実施例は、記録装置を他の機器とネットワークで接続することを特徴とするものである。
【００６２】
図１２に示すように、本実施例の記録システムは、メディアスロット２や接続端子１１等の読み取り手段と、ＣＤ−Ｒドライブ８等の書き込み手段と、表示部９及び操作部１０等を備える卓上型又は無人端末型の記録装置１と、画像データを用いたフォトサービスの受付処理を行う注文受付端末３３等の他の装置とがネットワークで接続されているものである。また、更にこれらの装置がインターネット等の通信ネットワーク３５を介してフォトサービスの管理を行う管理センターサーバ３４に接続されている構成としてもよい。
【００６３】
本実施例の記録装置１を機能で示すと図１３に示すようになり、第１の実施例と同様に、演算処理部３に制御される表示部９、操作部１０、メディアスロット２や接続端子１１等の読み取り手段１８、ＣＤ−Ｒドライブ８等の書き込み手段１９、記憶部４に加えて、他の装置や管理センターサーバ３４とデータの交信を行うための通信手段３６を備え、記憶部４には、記録制御プログラム２０及び監視プログラム２１に加えて、コンピータを、監視手段により停止が確認されると、表示手段に料金の払い戻しが必要になったことを示す情報を表示させる手段として機能させる払戻発生情報表示プログラム３７が記憶されている。
【００６４】
上記構成の記録装置１を含む記録システムを用いた画像データの記録手順は、図１４のフローチャート図に示すようになり、第３の実施例と同様に、ステップＳ５０１で、顧客は料金投入口２４に画像データの記録に対する料金を投入した後、ステップＳ５０２で、ＣＰＵはＨＤＤから記録制御プログラム２０及び監視プログラム２１を読み出し、メモリにロードした後、記録制御プログラム２０を用いてステップＳ５０３からＳ５１５の処理を実行する。
【００６５】
ここで、第３の実施例では一連のステップのいずれかで記録制御プログラム２０の少なくとも一部の実行停止により処理が停止した際に、記録装置１で払い戻しを行うか若しくは払戻証を発行する構成としたが、料金払戻手段２９や払戻証発行手段２７を設けると装置の構成が複雑になってしまう。
【００６６】
そこで、本実施例ではステップＳ５１６で、監視プログラム２１が記録制御プログラム２０の少なくとも一部の実行停止による記録処理の停止を検出すると、ステップＳ５１７で、ＣＰＵはＨＤＤから払戻発生情報表示プログラム３７を読み出しメモリにロードし実行する。すると、ステップＳ５１８で、ＣＰＵは表示手段に対して払戻が必要になったことを示す情報を送信し、表示手段はこの信号を表示した後、ステップＳ５１９でＣＤ−Ｒドライブ８にＣＤ−Ｒの排出を指示する信号を送信し、ステップＳ５１５でＣＤ−Ｒを排出して一連の処理を終了する。この場合、払戻発生情報は記録装置１の表示手段９上に表示してもよいが、払戻をスムーズに行うためには記録装置１が設置される店舗の店員が操作する端末（例えば、注文受付端末３３やレジ等）の画面上に表示してもよく、払い戻しが必要になったことを係員が直ちに認識することができる。
【００６７】
このような処理を行うことにより、料金の支払い後に記録制御プログラム２０の少なくとも一部の実行停止により処理が停止した場合であっても、支払った料金が払い戻されるため、記録が完了していないのに料金が徴収されたままになるという不具合を防止することができる。
【００６８】
なお、このように記録装置１がネットワークで接続される構成では、記録装置１の情報を他の端末やサーバで確認することができる。そこで、例えば、プログラムの処理経過を示すログを解析して実行停止までの操作状況等の履歴情報を注文受付端末３３や管理センターサーバ３４に送信し、注文受付端末３３や管理センターサーバ３４では該履歴情報を蓄積して分析することにより、どのような原因で処理が停止しているのか、どの部分で処理が停止しやすいのか、どの程度の頻度で処理が停止しているか等の情報を得ることができ、この情報を参照して適切にメンテナンスを実行することもできる。このようなメンテナンスを行うことにより、処理の停止を未然に防止することができ、更に使い勝手のよい記録装置１を提供することができる。
【００６９】
また、記録装置１がネットワークで接続される構成では、記録装置１の処理の停止を他の装置（注文受付端末３３やレジ等）で監視することができ、処理が停止した場合にこれらの装置からの指示で各種処理を行うこともできる。例えば、監視プログラム２１が記録制御プログラム２０の少なくとも一部の実行停止による処理の停止を検出すると、上記他の装置に処理が停止したことを知らせる情報を表示し、他の装置からの指示を受信したら、第１の実施例のように停止時再起動プログラム２２を起動して記録制御プログラム２０を再起動したり、第２の実施例のように記録媒体排出信号送信プログラム２３を起動してＣＤ−Ｒを排出したり、第３の実施例のように料金払戻信号送信プログラム３０や証明証発行要求信号送信プログラム３１を起動して払戻を行う構成とすることもできる。
【００７０】
また、停止時再起動プログラム２２による記録制御プログラム２０の再起動は、記録装置１で自動的に又は他の装置からの指示で行ってもよいが、記録端末１に再起動ボタンを設けておき、処理が停止したときに顧客又は係員が該再起動ボタンを押してプログラムの再起動を実行する構成とすることもできる。その場合、顧客が勝手に再起動ボタンを操作しないように、図１５に示すように再起動ボタン１７を記録装置１の背面等の目立たない場所に設けることが好ましく、記録装置１の処理が実行されている時に再起動が実行されないように、ＣＰＵでは所定の処理（例えば、画像データを記憶手段４やＣＤ−Ｒに転送中又は記録中など）では停止時再起動プログラム２２を機能させないようにすることが好ましい。
【００７１】
なお、上記説明では、画像データを記録する構成としたが、本発明は上記各実施例に限定されるものではなく、任意の媒体、機器に記録された任意のデータを他の記録媒体に記録する装置に適用することができ、例えば、音楽再生機器や該機器用メディアに記録された音楽データを他の記録媒体に記録する記録装置等に適用することができる。
【００７２】
【発明の効果】
以上説明したように、本発明の記録装置によれば、デジタルカメラ、カメラ付き携帯電話機等の撮影機器やメディアに記録された画像データを、記録装置が停止してしまうことを心配することなく、安心してＣＤ−Ｒ等の他の記録媒体に記録することができる。
【００７３】
その理由は、記録装置の記憶手段に、コンピュータを、記録のために必要な複数の処理を実行させるための制御手段として機能させる記録制御プログラムと、コンピュータを複数の処理の実行のうちいずれかの処理が、記録制御プログラムの少なくとも一部の実行停止により停止していることを監視する監視手段として機能させる監視プログラムとが記憶されており、画像データの記録に際し、記録制御プログラムの少なくとも一部の実行停止により記録処理が停止した場合に、監視プログラムが処理の停止を検出し、プログラムを再起動したり、記録媒体を排出して処理を終了させたり、払い込んだ料金を払い戻す等の処理が行われるからである。
【図面の簡単な説明】
【図１】本発明の第１の実施例に係る記録装置の外観構成を示す図である。
【図２】本発明の第１の実施例に係る記録装置の構成を示すブロック図であり、（ａ）はＯＳとしてウィンドウズ（Ｒ）を用いた構成、（ｂ）はＯＳとしてＩＴＲＯＮを用いた構成である。
【図３】本発明の第１の実施例に係る記録装置の機能を示すブロック図である。
【図４】本発明の第１の実施例に係る画像データの記録手順を示すフローチャート図である。
【図５】本発明の第２の実施例に係る記録装置の機能を示すブロック図である。
【図６】本発明の第２の実施例に係る画像データの記録手順を示すフローチャート図である。
【図７】本発明の第３の実施例に係る記録装置の外観構成を示す図である。
【図８】本発明の第３の実施例に係る記録装置の機能を示すブロック図である。
【図９】本発明の第３の実施例に係る画像データの記録手順を示すフローチャート図である。
【図１０】本発明の第３の実施例に係る記録装置の機能を示すブロック図である。
【図１１】本発明の第３の実施例に係る画像データの記録手順を示すフローチャート図である。
【図１２】本発明の第４の実施例に係る記録装置を含む記録システムの外観構成を示す図である。
【図１３】本発明の第４の実施例に係る記録装置の機能を示すブロック図である。
【図１４】本発明の第４の実施例に係る画像データの記録手順を示すフローチャート図である。
【図１５】本発明の第４の実施例に係る他の記録装置の外観構成を示す図である。
【符号の説明】
１  記録装置
２  メディアスロット
３  演算処理部
４、４ａ、４ｂ  記憶部
５ａ、５ｂ、５ｃ  記憶部
６  ＵＳＢポート
７  マザーボード
８  ＣＤ−Ｒドライブ
９  表示部
１０  操作部
１１  接続端子
１２  ネットワーク接続部
１３  メディア
１４  デジタルカメラ
１５  カメラ付き携帯電話機
１６  記録媒体
１７  再起動ボタン
１８  読み取り手段
１９  書き込み手段
２０  記録制御プログラム
２１  監視プログラム
２２  停止時再起動プログラム
２３  記録媒体排出信号送信プログラム
２４  料金投入口
２５  料金返却口
２６  ＣＤ−Ｒ排出口
２７  払戻証発行手段
２８  料金受領手段
２９  料金払戻手段
３０  料金払戻信号送信プログラム
３１  証明証発行要求信号送信プログラム
３２  カウンター
３３  注文受付端末
３４  管理センターサーバ
３５  通信ネットワーク
３６  通信手段
３７  払戻発生情報表示プログラム
【図１】
2004208127.tif 000003
【図２】
2004208127.tif 000004
【図３】
2004208127.tif 000005
【図４】
2004208127.tif 000006
【図５】
2004208127.tif 000007
【図６】
2004208127.tif 000008
【図７】
2004208127.tif 000009
【図８】
2004208127.tif 000010
【図９】
2004208127.tif 000011
【図１０】
2004208127.tif 000012
【図１１】
2004208127.tif 000013
【図１２】
2004208127.tif 000014
【図１３】
2004208127.tif 000015
【図１４】
2004208127.tif 000016
【図１５】
2004208127.tif 000017